(57)【要約】【課題】３つ以上の出力を有する複合トランス等を提供する。【解決手段】複合トランス１０は、第１トランスＴ１及び第２トランスＴ２を備え、第１トランスＴ１及び第２トランスＴ２のそれぞれの１次巻線Ｌａ、Ｌｂは、直列接続され、第１トランスＴ１の２次巻線は、互いに接続されていない第１コイルＬ１１及び第２コイルＬ１２を有し、第２トランスＴ２の２次巻線は、互いに接続されていない第１コイルＬ２１及び第２コイルＬ２２を有し、第１トランスＴ１の第１コイルＬ１１、及び、第２トランスＴ２の第１コイルＬ２１は、それぞれ異なる出力端子Ｖｏｕｔ１、Ｖｏｕｔ３に接続され、第１トランスＴ１の第２コイルＬ１２、及び、第２トランスＴ２の第２コイルＬ２２は、同じ出力端子Ｖｏｕｔ２に接続される。【選択図】図２
2017183412.tif 000002
【特許請求の範囲】
【請求項１】
第１トランス及び第２トランスを備え、
前記第１トランス及び前記第２トランスのそれぞれの１次巻線は、直列接続され、
前記第１トランス及び前記第２トランスのそれぞれの２次巻線は、互いに接続されていない第１コイル及び第２コイルを有し、
前記第１トランスの前記第１コイル、及び、前記第２トランスの前記第１コイルは、それぞれ異なる出力端子に接続され、
前記第１トランスの前記第２コイル、及び、前記第２トランスの前記第２コイルは、同じ出力端子に接続される
複合トランス。
【請求項２】
前記第１トランスの前記１次巻線、及び、前記第２トランスの前記１次巻線は、巻数が同じである
請求項１に記載の複合トランス。
【請求項３】
前記第１トランスの前記１次巻線に対する前記第２コイルの巻数比、及び、前記第２トランスの前記１次巻線に対する前記第２コイルの巻数比が、同じである
請求項１又は２に記載の複合トランス。
【請求項４】
さらに、第３トランスを備え、
前記第３トランスの１次巻線は、前記第１トランスの前記１次巻線又は前記第２トランスの前記１次巻線に直列接続され、
前記第３トランスの２次巻線は、互いに接続されていない第１コイル及び第２コイルを有し、
前記第３トランスの前記第１コイルは、第１トランスの前記第１コイル及び第２トランスの前記第１コイルと異なる出力端子に接続され、
前記第３トランスの前記第２コイルは、前記第１トランスの前記第２コイル及び前記第２トランスの前記第２コイルと同じ出力端子に接続される
請求項１〜３のいずれか１項に記載の複合トランス。
【請求項５】
請求項１〜４のいずれか１項に記載の複合トランスを備えるＬＬＣコンバータ。
【発明の詳細な説明】
【技術分野】
【０００１】
本開示は、複数のトランスを有する複合トランス、及び、この複合トランスを備えるＬＬＣコンバータに関する。
【背景技術】
【０００２】
特許文献１は、従来のＬＬＣコンバータを開示する（特許文献１の図５参照）。このＬＬＣコンバータは、１つのトランスと、トランスの１次側に設けられたトランジスタ（ＭＯＳＦＥＴ）及び共振用コンデンサと、トランスの２次側に個別に設けられた第１整流回路及び第２整流回路とを有している。トランスの２次巻線は第１コイル及び第２コイルにより構成され、第１コイルは第１整流回路に、第２コイルは第２整流回路に対応している。このＬＬＣコンバータは、トランスが１つで、出力が２つである。
【先行技術文献】
【特許文献】
【０００３】
【特許文献１】特開２００１−１１２２５５号公報
【発明の概要】
【発明が解決しようとする課題】
【０００４】
本開示は、３つ以上の出力を有する複合トランス及びＬＬＣコンバータを提供する。
【課題を解決するための手段】
【０００５】
本開示における複合トランスは、第１トランス及び第２トランスを備え、前記第１トランス及び前記第２トランスのそれぞれの１次巻線は、直列接続され、前記第１トランス及び前記第２トランスのそれぞれの２次巻線は、互いに接続されていない第１コイル及び第２コイルを有し、前記第１トランスの前記第１コイル、及び、前記第２トランスの前記第１コイルは、それぞれ異なる出力端子に接続され、前記第１トランスの前記第２コイル、及び、前記第２トランスの前記第２コイルは、同じ出力端子に接続される。
【０００６】
本開示におけるＬＬＣコンバータは、上記複合トランスを備える。
【発明の効果】
【０００７】
本開示の複合トランス及びＬＬＣコンバータは、３つ以上の出力を有する。
【図面の簡単な説明】
【０００８】
【図１】比較例におけるトランス及びＬＬＣコンバータの回路図
【図２】実施の形態１における複合トランス、及び、この複合トランスを備えるＬＬＣコンバータの回路図
【図３】実施の形態１におけるＬＬＣコンバータの出力を示す図
【図４】実施の形態２における複合トランス、及び、この複合トランスを備えるＬＬＣコンバータの回路図
【発明を実施するための形態】
【０００９】
本開示の複合トランスは、例えば、ＬＬＣコンバータを構成する部品として用いられる。ＬＬＣコンバータは、例えば、テレビジョンなどの映像装置に内蔵され、音声回路やチューナなどに異なる電力を供給するために用いられる。ＬＬＣコンバータの電力の出力数を増やすには、トランスのコイル数（出力数）を増やす必要がある。
【００１０】
（比較例）
ここで、トランスのコイル数を増やす場合に生じる課題について、比較例を用いて説明する。
【００１１】
図１は、比較例におけるトランス５００及びＬＬＣコンバータ１００の回路図である。
【００１２】
比較例におけるＬＬＣコンバータ１００は、１つのトランス５００を備え、１次側に設けられたトランジスタ（ＭＯＳＦＥＴ）Ｑ１、Ｑ２及び共振用コンデンサＣｒと、２次側に個別に設けられた３つの整流回路ＲＣ１、ＲＣ２、ＲＣ３とを有している。トランス５００の２次巻線は第１コイルＬ１１、第２コイルＬ１２及び第３コイルＬ１３により構成され、それぞれのコイルＬ１１、Ｌ１２、Ｌ１３が各整流回路ＲＣ１、ＲＣ２、ＲＣ３に対応している。このＬＬＣコンバータ１００は、トランス５００が１つで、出力が３つである。
【００１３】
このようにＬＬＣコンバータ１００の出力数を増やすと、トランス５００のコイル数も増え、それに応じて各コイルＬ１１、Ｌ１２、Ｌ１３を配置するためのボビンの長さを長くする必要がある。そのため、トランス５００のコイル数が多い場合は、汎用のボビンが使えなくなり、コイル数に応じたボビンを新たに製作しなければならないという問題が生じる。
【００１４】
本開示の複合トランス及びＬＬＣコンバータは、汎用ボビンを使いながら、出力数の増加に対応することができる。
【００１５】
また、例えば、ＬＬＣコンバータの出力数を３つにする場合、トランスを２つ並べてそれぞれの１次巻線を直列接続し、第１トランスの２次巻線の出力を２つ、第２トランスの２次巻線の出力を１つとする構成も考えられる（図示省略）。しかしながら、単にトランスを２つ並べた構成では、各出力における負荷電力が変化した場合、２つのトランスのそれぞれの１次巻線にかかる電圧が異なり、２次側の出力電圧が安定しないという問題が生じることもある。
【００１６】
本開示の複合トランス及びＬＬＣコンバータは、２次側の出力電圧が不安定になることを抑制することができる。
【００１７】
（実施の形態１）
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、当業者が本開示を十分に理解するために添付図面および以下の説明を提供するのであって、これらによって特許請求の範囲に記載の主題を限定することを意図するものではない。
【００１９】
［１．ＬＬＣコンバータ及び複合トランスの構成］
図２は、実施の形態１における複合トランス１０、及び、この複合トランス１０を備えるＬＬＣコンバータ１の回路図である。
【００２０】
まず、本実施の形態のＬＬＣコンバータ１について説明する。
【００２１】
ＬＬＣコンバータ１の１次側には、２つのトランジスタ（例えばＭＯＳＦＥＴ）Ｑ１、Ｑ２を直列接続したハーフブリッジ回路と、共振用コンデンサＣｒと、入力コンデンサＣｉｎと、コンデンサＣ３、Ｃ４とが設けられている。１次側には、入力電圧Ｖｉｎが印加される。
【００２２】
ＬＬＣコンバータ１の２次側には、３つの整流回路ＲＣ１、ＲＣ２、ＲＣ３が設けられている。第１の整流回路ＲＣ１は、ダイオードＤ１、Ｄ２及び平滑コンデンサＣ１を含み、第２の整流回路ＲＣ２は、ダイオードＤ３、Ｄ４及び平滑コンデンサＣ６を含み、第３の整流回路ＲＣ３は、ダイオードＤ５、Ｄ６及び平滑コンデンサＣ７を含んでいる。第１の整流回路ＲＣ１は出力端子Ｖｏｕｔ１に接続され、第２の整流回路ＲＣ２は出力端子Ｖｏｕｔ２に接続され、第３の整流回路ＲＣ３は出力端子Ｖｏｕｔ３に接続されている。
【００２３】
また、ＬＬＣコンバータ１は、制御ＩＣを有している。制御ＩＣは、出力端子Ｖｏｕｔ２と、トランジスタＱ１及びＱ２のそれぞれの制御端子とに接続され、ＬＬＣコンバータ１の出力電圧を制御している。
【００２４】
次に、本実施の形態の複合トランス１０について説明する。
【００２５】
複合トランス１０は、第１トランスＴ１と第２トランスＴ２とを備えている。第１トランスＴ１及び第２トランスＴ２は、異なるボビンにワイヤを巻回してそれぞれ形成される。なお、第１トランスＴ１及び第２トランスＴ２のそれぞれを構成するボビンとしては、２次側２出力の汎用ボビンが用いられる。
【００２６】
第１トランスＴ１は、１次巻線Ｌａと、２次巻線の第１コイルＬ１１及び第２コイルＬ１２とを備えている。第２トランスＴ２は、１次巻線Ｌｂと、２次巻線の第１コイルＬ２１及び第２コイルＬ２２とを備えている。
【００２７】
第１トランスＴ１の１次巻線Ｌａ、及び、第２トランスＴ２の１次巻線Ｌｂは、巻方向が同じで、直列接続されている。１次巻線Ｌａの巻数ＮＬａ、及び、１次巻線Ｌｂの巻数ＮＬｂは、同じである。
【００２８】
第１トランスＴ１の２次巻線である第１コイルＬ１１及び第２コイルＬ１２は、センタータップ構造をそれぞれ有し、巻方向が同じである。第１コイルＬ１１の巻数ＮＬ１１、及び、第２コイルＬ１２の巻数ＮＬ１２は、同じである。第１コイルＬ１１及び第２コイルＬ１２は、互いに接続されていない。
【００２９】
第２トランスＴ２の２次巻線である第１コイルＬ２１及び第２コイルＬ２２は、センタータップ構造をそれぞれ有し、巻方向が同じである。第１コイルＬ２１の巻数ＮＬ２１、及び、第２コイルＬ２２の巻数ＮＬ２２は、同じである。第１コイルＬ２１及び第２コイルＬ２２は、互いに接続されていない。
【００３０】
１次巻線Ｌａに対する第２コイルＬ１２の巻数比ＮＬ１２／ＮＬａ、及び、１次巻線Ｌｂに対する第２コイルＬ２２の巻数比ＮＬ２２／ＮＬｂは、同じである。
【００３１】
また、１次巻線Ｌａに対する第１コイルＬ１１の巻数比ＮＬ１１／ＮＬａ、及び、１次巻線Ｌｂに対する第１コイルＬ２１の巻数比ＮＬ２１／ＮＬｂは、同じである。なお、巻数比ＮＬ１１／ＮＬａと巻数比ＮＬ２１／ＮＬｂは、異なっていてもよい。
【００３２】
第１コイルＬ１１及び第１コイルＬ２１は、それぞれ異なる出力端子Ｖｏｕｔ１、Ｖｏｕｔ３に接続されている。具体的には、第１コイルＬ１１の一端（１）は、ダイオードＤ１を介して出力端子Ｖｏｕｔ１に接続され、第１コイルＬ１１の他端（４）は、ダイオードＤ２を介して出力端子Ｖｏｕｔ１に接続されている。また、第１コイルＬ２１の一端（１）は、ダイオードＤ５を介して出力端子Ｖｏｕｔ３に接続され、第１コイルＬ２１の他端（４）は、ダイオードＤ６を介して出力端子Ｖｏｕｔ３に接続されている。
【００３３】
第２コイルＬ１２及び第２コイルＬ２２は、並列接続され、同じ出力端子Ｖｏｕｔ２に接続されている。具体的には、第２コイルＬ２２の一端（５）は、第２コイルＬ１２の一端（５）とダイオードＤ３のアノードとの間に接続され、第２コイルＬ２２の他端（８）は、第２コイルＬ１２の他端（８）とダイオードＤ４のアノードとの間に接続されている。
【００３４】
このように、本実施の形態の複合トランス１０及びＬＬＣコンバータ１では、第１トランスＴ１及び第２トランスＴ２のそれぞれを２次側２出力で構成し、第１トランスＴ１及び第２トランスＴ２のそれぞれの、一方の２次側出力を個別出力とし、他方の２次側出力を共通出力としている。これにより、複合トランス１０及びＬＬＣコンバータ１は、２つのトランスＴ１、Ｔ２を用いて２次側３出力となるように構成されている。
【００３５】
［２．ＬＬＣコンバータの動作］
以上のように構成されたＬＬＣコンバータ１の動作を説明する。
【００３６】
ＬＬＣコンバータ１は、図２に示すように、コイルＬ１１及びコイルＬ２１に基づく出力をそれぞれ異なる出力とし、コイルＬ１２及びコイルＬ２２に基づく出力を共通出力としている。これにより、出力端子Ｖｏｕｔ１、Ｖｏｕｔ２、Ｖｏｕｔ３に対応するそれぞれの出力（電力）ｗ１、ｗ２、ｗ３は、以下に示す関係を有している。
【００３７】
ｗ１＝（Ｌ１１に基づく出力）
ｗ２＝（Ｌ１２に基づく出力）＋（Ｌ２２に基づく出力）
ｗ３＝（Ｌ２１に基づく出力）
【００３８】
そして、本実施の形態では、複合トランス１０によって、ＬＬＣコンバータ１の出力が以下の関係を有するように調整される。
【００３９】
第１トランスＴ１に基づく出力（Ｌ１１に基づく出力＋Ｌ１２に基づく出力）＝第２トランスＴ２に基づく出力（Ｌ２１に基づく出力＋Ｌ２２に基づく出力）
【００４０】
上記の関係について、図３を参照しながら具体的に説明する。図３は、ＬＬＣコンバータ１の出力ｗ１〜ｗ３を示す図である。
【００４１】
図３の（ａ）は、出力端子Ｖｏｕｔ１〜Ｖｏｕｔ３から、ｗ１＝５０Ｗ、ｗ２＝１００Ｗ、ｗ３＝５０Ｗがそれぞれ出力される場合を示している。この場合、ｗ２＝１００Ｗのうち、コイルＬ１２に基づく出力が５０Ｗとなり、コイルＬ２２に基づく出力が５０Ｗとなる。これにより、第１トランスＴ１に基づく出力が１００Ｗ（＝５０Ｗ＋５０Ｗ）、第２トランスＴ２に基づく出力が１００Ｗ（＝５０Ｗ＋５０Ｗ）となる。すなわち、両者の出力が等しくなるように調整される。
【００４２】
図３の（ｂ）は、出力端子Ｖｏｕｔ１〜Ｖｏｕｔ３から、ｗ１＝１０Ｗ、ｗ２＝１００Ｗ、ｗ３＝５０Ｗが出力される場合を示している。この場合、ｗ２＝１００Ｗのうち、コイルＬ１２に基づく出力が７０Ｗとなり、コイルＬ２２に基づく出力が３０Ｗとなる。これにより、第１トランスＴ１に基づく出力が８０Ｗ（＝１０Ｗ＋７０Ｗ）、第２トランスＴ２に基づく出力が８０Ｗ（＝５０Ｗ＋３０Ｗ）となる。すなわち、ｗ１とｗ３とが異なっていても、第１トランスＴ１に基づく出力と第２トランスＴ２に基づく出力とが等しくなるように、コイルＬ１２に基づく出力とコイルＬ２２に基づく出力の配分が変化する。
【００４３】
図３の（ｃ）は、出力端子Ｖｏｕｔ１〜Ｖｏｕｔ３から、ｗ１＝１０Ｗ、ｗ２＝２０Ｗ、ｗ３＝５０Ｗが出力される場合を示している。この場合、ｗ２＝２０Ｗのうち、コイルＬ１２に基づく出力が３０Ｗとなり、コイルＬ２２に基づく出力が−１０Ｗとなる。これにより、第１トランスＴ１に基づく出力が４０Ｗ（＝１０Ｗ＋３０Ｗ）、第２トランスＴ２に基づく出力が４０Ｗ（＝５０Ｗ−１０Ｗ）となる。すなわち、ｗ１とｗ３とが異なり、また、ｗ２が変動しても、第１トランスＴ１に基づく出力と第２トランスＴ２に基づく出力とが等しくなるように、コイルＬ１２に基づく出力がコイルＬ２２に基づく出力を補完し、コイルＬ２２に基づく出力はマイナス値となる。
【００４４】
このように本実施の形態のＬＬＣコンバータ１は、２つのトランスＴ１、Ｔ２の１次巻線Ｌａ、Ｌｂを直列接続し、２次巻線のコイルＬ１１、Ｌ２１を個別出力とし、２次巻線のコイルＬ１２、Ｌ２２を並列接続することで、第１トランスＴ１に基づく出力と第２トランスＴ２に基づく出力が等しくなるよう自動的に補完するように構成されている。これにより、ＬＬＣコンバータ１では、１次巻線Ｌａ、Ｌｂに発生するそれぞれの電圧が等しくなり、出力電圧が不安定になることを抑制することができる。
【００４５】
なお、図３の（ｃ）におけるマイナス補完は、コイルＬ２２の一端を、ダイオードＤ３のカソード側でなくアノード側に接続し、コイルＬ２２の他端を、ダイオードＤ４のカソード側でなくアノード側に接続することで実現可能となっている。
【００４６】
［３．効果等］
以上のように、本開示において、複合トランス１０は、第１トランスＴ１及び第２トランスＴ２を備え、第１トランスＴ１及び第２トランスＴ２のそれぞれの１次巻線Ｌａ、Ｌｂは、直列接続され、第１トランスＴ１の２次巻線は、互いに接続されていない第１コイルＬ１１及び第２コイルＬ１２を有し、第２トランスＴ２の２次巻線は、互いに接続されていない第１コイルＬ２１及び第２コイルＬ２２を有し、第１トランスＴ１の第１コイルＬ１１、及び、第２トランスＴ２の第１コイルＬ２１は、それぞれ異なる出力端子Ｖｏｕｔ１、Ｖｏｕｔ３に接続され、第１トランスＴ１の第２コイルＬ１２、及び、第２トランスＴ２の第２コイルＬ２２は、同じ出力端子Ｖｏｕｔ２に接続される。
【００４７】
これによれば、２つのトランスＴ１、Ｔ２を用いて３つの出力を有する複合トランス１０を提供することができる。
【００４８】
また、第１トランスＴ１の１次巻線Ｌａ、及び、第２トランスＴ２の１次巻線Ｌｂは、巻数ＮＬａ、ＮＬｂが同じであってもよい。
【００４９】
これによれば、複合トランス１０の２次側の出力電圧が不安定になることを抑制することができる。
【００５０】
また、第１トランスＴ１の１次巻線Ｌａに対する第２コイルＬ１２の巻数比ＮＬ１２／ＮＬａ、及び、第２トランスＴ２の１次巻線Ｌｂに対する第２コイルＬ２２の巻数比ＮＬ２２／ＮＬｂが、同じであってもよい。
【００５１】
これによれば、第２コイル１２及び第２コイルＬ２２に基づく出力の補完により、複合トランス１０の２次側の出力電圧を安定化させることができる。
【００５２】
また、本開示において、ＬＬＣコンバータ１は複合トランス１０を備えている。
【００５３】
これにより、汎用ボビンを使って、ＬＬＣコンバータ１の出力数の増加に対応することができる。また、ＬＬＣコンバータ１の２次側の出力電圧が不安定になることを抑制することができる。
【００５４】
（実施の形態２）
以下、図４を用いて、実施の形態２を説明する。
【００５５】
図４は、実施の形態２における複合トランス１０Ａ、及び、この複合トランス１０Ａを備えるＬＬＣコンバータ１Ａの回路図である。
【００５６】
本実施の形態のＬＬＣコンバータ１Ａは、トランスが３つ、出力が４つである。
【００５７】
ＬＬＣコンバータ１Ａの２次側には、４つの整流回路ＲＣ１、ＲＣ２、ＲＣ３、ＲＣ４が設けられている。第４の整流回路ＲＣ４は、ダイオードＤ７、Ｄ８及び平滑コンデンサＣ８を含み、出力端子Ｖｏｕｔ４に接続されている。
【００５８】
複合トランス１０Ａは、実施の形態１に示す複合トランス１０に対して、さらに第３トランスＴ３を備えている。なお、第３トランスＴ３としては、２次側２出力の汎用ボビンが用いられる。
【００５９】
第３トランスＴ３は、１次巻線Ｌｃと、２次巻線の第１コイルＬ３１及び第２コイルＬ３２とを備えている。
【００６０】
第３トランスＴ３の１次巻線Ｌｃは、１次巻線Ｌａ及び１次巻線Ｌｂと巻方向が同じであり、１次巻線Ｌａ又はＬｂに対して直列接続されている。１次巻線Ｌｃの巻数ＮＬｃは、巻数ＮＬａ及び巻数ＮＬｂと同じである。
【００６１】
第３トランスＴ３の第１コイルＬ３１及び第２コイルＬ３２は、センタータップ構造をそれぞれ有し、巻方向がそれぞれ同じである。第１コイルＬ３１の巻数ＮＬ３１、及び、第２コイルＬ３２の巻数ＮＬ３２は、同じである。第１コイルＬ３１及び第２コイルＬ３２は、互いに接続されていない。
【００６２】
１次巻線Ｌｃに対する第２コイルＬ３２の巻数比ＮＬ３２／ＮＬｃは、巻数比ＮＬ１２／ＮＬａ及び巻数比ＮＬ２２／ＮＬｂと同じである。
【００６３】
また、１次巻線Ｌｃに対する第１コイルＬ３１の巻数比ＮＬ３１／ＮＬｃは、巻数比ＮＬ１１／ＮＬａ及び巻数比ＮＬ２１／ＮＬｂと同じである。なお、巻数比ＮＬ３１／ＮＬｃは、巻数比ＮＬ１１／ＮＬａ及び巻数比ＮＬ２１／ＮＬｂと異なっていてもよい。
【００６４】
第１コイルＬ３１は、第１コイルＬ１１及び第１コイルＬ２１と、異なる出力端子Ｖｏｕｔ４に接続されている。具体的には、第１コイルＬ３１の一端（１）は、ダイオードＤ７を介して出力端子Ｖｏｕｔ４に接続され、第１コイルＬ３１の他端（４）は、ダイオードＤ８を介して出力端子Ｖｏｕｔ４に接続されている。
【００６５】
第２コイルＬ３２は、第２コイルＬ１２及び第２コイルＬ２２と並列接続され、同じ出力端子Ｖｏｕｔ２に接続されている。具体的には、第２コイルＬ３２の一端（５）は、第２コイルＬ１２の一端（５）とダイオードＤ３のアノードとの間に接続され、第２コイルＬ３２の他端（８）は、第２コイルＬ１２の他端（８）とダイオードＤ４のアノードとの間に接続されている。
【００６６】
以上のように、本実施の形態にける複合トランス１０Ａは、実施の形態１に示す複合トランス１０に対して、さらに、第３トランスＴ３を備え、第３トランスＴ３の１次巻線Ｌｃは、第１トランスＴ１の１次巻線Ｌａ又は第２トランスＴ２の１次巻線Ｌｂに直列接続され、第３トランスＴ３の２次巻線は、互いに接続されていない第１コイルＬ３１及び第２コイルＬ３２を有し、第３トランスＴ３の第１コイルＬ３１は、第１トランスＴ１の第１コイルＬ１１及び第２トランスＴ２の第１コイルＬ２１と異なる出力端子Ｖｏｕｔ４に接続され、第３トランスＴ３の第２コイルＬ３２は、第１トランスＴ１の第２コイルＬ１２及び第２トランスＴ２の第２コイルＬ２２と同じ出力端子Ｖｏｕｔ２に接続される。
【００６７】
このように、複合トランス１０Ａは、第１トランスＴ１、第２トランスＴ２及び第３トランスＴ３のそれぞれを２次側２出力で構成し、第１トランスＴ１、第２トランスＴ２及び第３トランスＴ３のそれぞれの、一方の２次側出力を個別出力とし、他方の２次側出力を共通出力としている。これにより、３つのトランスＴ１、Ｔ２、Ｔ３を用いて４つの出力を有する複合トランス１０Ａを提供することができる。
【００６８】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。
【００６９】
そこで、以下、他の実施の形態を例示する。
【００７０】
実施の形態１では、２トランス３出力の複合トランス、実施の形態２では、３トランス４出力の複合トランスを例示したが、トランス数及び出力数はこれらに限られない。例えば、４トランス５出力の複合トランスとする場合は、さらにトランスを１つ追加し、第１コイルを他の第１コイルと異なる出力端子に接続し、第２コイルを他の第２コイルと同じ出力端子に接続すればよい。このように、出力数を増やす場合は、出力数を１つ増やすごとに、２次側２出力のトランスを１つ追加し、追加したトランスの第２コイルを他の第２コイルと同じ出力端子に接続すればよい。
【００７１】
すなわち、複合トランスは、複数のトランスを備え、複数のトランスのそれぞれの１次巻線は、直列接続され、複数のトランスのそれぞれの２次巻線は、互いに接続されていない第１コイル及び第２コイルを有し、２次巻線の第１コイルのそれぞれは異なる出力端子に接続され、２次巻線の第２コイルのそれぞれは同じ端子に接続されていてもよい。
【００７２】
これにより、汎用ボビンを使って、出力数の増加に対応することができる。また、２次側の出力電圧が不安定になることを抑制することができる。
【００７３】
以上のように、本開示における技術の例示として、実施の形態を説明した。そのために、添付図面および詳細な説明を提供した。
【００７４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７５】
また、上述の実施の形態は、本開示における技術を例示するためのものであるから、特許請求の範囲またはその均等の範囲において種々の変更、置き換え、付加、省略などを行うことができる。
【産業上の利用可能性】
【００７６】
本開示は、例えば、映像装置などの電気機器に内蔵されるＬＬＣコンバータ及び複合トランスに適用可能である。
【符号の説明】
【００７７】
１、１Ａ  ＬＬＣコンバータ
１０、１０Ａ  複合トランス
Ｌａ    第１トランスの１次巻線
Ｌｂ    第２トランスの１次巻線
Ｌ１１  第１トランスの第１コイル（２次側）
Ｌ１２  第１トランスの第２コイル（２次側）
Ｌ２１  第２トランスの第１コイル（２次側）
Ｌ２２  第２トランスの第２コイル（２次側）
Ｌ３１  第３トランスの第１コイル（２次側）
Ｌ３２  第３トランスの第２コイル（２次側）
Ｔ１    第１トランス
Ｔ２    第２トランス
Ｔ３    第３トランス
Ｖｏｕｔ１、Ｖｏｕｔ２、Ｖｏｕｔ３、Ｖｏｕｔ４  出力端子
【図１】
2017183412.tif 000003
【図２】
2017183412.tif 000004
【図３】
2017183412.tif 000005
【図４】
2017183412.tif 000006